(57)【特許請求の範囲】
【請求項１】
排水管と連結され、排水を収容する容器と、
前記容器に収容した前記排水の濁度を音波を使用して測定する濁度測定手段と、
測定した前記濁度に応じて所定量の無機系粉末凝集剤を添加する添加装置と、
前記容器に収容した前記排水と前記無機系粉末凝集剤とを撹拌して混合する撹拌機と、
前記容器の底部に設置し、凝集物を送出するポンプとを
備え、
前記無機系粉末凝集剤は、二酸化珪素が３５〜７７質量％、酸化アルミニウムが５〜１５質量％、酸化カリウムが１〜５質量％、酸化ナトリウムが１〜５質量％、酸化鉄が１０〜２０質量％、三酸化硫黄が５〜１５質量％、酸化カルシウムが０．５〜２質量％、炭素が０．５〜３質量％である、
濁水処理装置。
【請求項２】
前記濁度測定手段は、検知棒であり、前記検知棒は、先端が２つに分岐されていて、一方から音波を発信し、他方にて前記音波を受信することを特徴とする、請求項１に記載の濁水処理装置。
【請求項３】
前記添加装置は、前記無機系粉末凝集剤を充填し、密閉される充填容器と、空気圧縮機と、バイブレータと、周部に複数の穴が設けられた円盤と、前記円盤を回転させるための電動機とを備え、前記濁度測定手段からの信号により前記無機系粉末凝集剤の添加量を制御することを特徴とする、請求項１または２に記載の濁水処理装置。
【請求項４】
前記容器は、上側および下側を前記排水が移動可能とされるように仕切板が配設され、前記排水管と連結され、前記濁度測定手段を備える検出部と、前記添加装置と前記撹拌機と前記ポンプとを備える処理部とに分けられる、請求項１〜３のいずれか１項に記載の濁水処理装置。
【請求項５】
排水を容器に供給する工程と、前記排水の濁度を音波を使用して測定する工程と、測定した前記濁度に応じて添加装置から所定量の無機系粉末凝集剤を添加し、前記排水と前記無機系粉末凝集剤とを撹拌機により撹拌して混合する工程と、前記容器底部の凝集物を送出する工程とを含み、
前記無機系粉末凝集剤は、二酸化珪素が３５〜７７質量％、酸化アルミニウムが５〜１５質量％、酸化カリウムが１〜５質量％、酸化ナトリウムが１〜５質量％、酸化鉄が１０〜２０質量％、三酸化硫黄が５〜１５質量％、酸化カルシウムが０．５〜２質量％、炭素が０．５〜３質量％である、
濁水処理方法。
【請求項６】
前記濁度は、検知棒の一方から音波を発信し、他方にて前記音波を受信することにより測定される、請求項５に記載の濁水処理方法。
【請求項７】
前記添加装置においては、充填容器に圧縮空気が供給されるとともにバイブレータにより振動させながら円盤の周部に設けられた複数の穴に前記無機系粉末凝集剤が充填され、前記円盤が所定位置まで回転すると前記円盤の穴に充填された前記無機系粉末凝集が圧縮空気により前記容器に収容された排水中に添加される、請求項５または６に記載の濁水処理方法。
【請求項８】
前記容器は、上側および下側を前記排水が移動可能とされるように仕切板が配設され、排水管と連結され、濁度測定手段を備える検出部と、前記添加装置と前記撹拌機とポンプとを備える処理部とに分けられる、請求項５〜７のいずれか１項に記載の濁水処理方法。
【発明の詳細な説明】
【０００１】
【発明の属する技術分野】
本発明は、排水中の濁度を測定し、測定した濁度によって必要とされる無機系粉末凝集剤を添加し、排水中の懸濁浮遊物質を凝集させて分離除去する濁水処理装置および該濁水処理装置を用いる濁水処理方法に関する。
【０００２】
【従来の技術】
従来、濁水処理は、濁水を槽などの容器に収容し、濁水処理用の凝集剤を添加し、濁水の原因となる懸濁浮遊物質を凝集させることによって容器底部に堆積させ、上部の清澄水と堆積した凝集物とを分離することにより行われている。従来において凝集剤としては、ポリ塩化アルミニウムやアクリルアミド系の高分子凝集剤などが用いられている。このポリ塩化アルミニウムは、塩基性塩であるためにアルカリ剤が不要であるといった経済性や、凝集ｐＨ範囲が広くとれるといった作業性、処理設備への適合性があり、また、フロックの形成や沈降が極めて高いといった凝集効果を有している。また、高分子凝集剤も、懸濁浮遊物質といった微細粒子を凝集させて、大きなフロックにして、沈降性、清澄性を高め、濾過脱水を促進させるために用いられている。特にアクリルアミド系の高分子凝集剤には、ノニオン系、アニオン系、カチオン系のものがあり、ノニオン系のものは、適用範囲が酸性からアルカリ性まで幅広く使用することができ、水素結合による吸着架橋によって凝集できるようになっている。また、アニオン系のものの場合、弱酸性からアルカリ性まで適用することができ、これも水素結合による吸着架橋によって凝集することができるようになっている。さらに、カチオン系のものの場合、酸性から弱アルカリ性に適用することができ、静電気的吸着架橋によって凝集することができるようになっている。
【０００３】
また、この高分子凝集剤は、上述した塩化アルミニウムと併用することにより、さらにフロックの生成を早めることができ、清澄効果を向上できることが知られている。これらは、添加量を少なくすることができるため、処理コストを安価にすることができ、また、生成スラッジ容積をかなり小さくすることができるため、埋め立て、焼却、固化などの後処理が容易となる。
【０００４】
また、濁水処理においては、上述した懸濁浮遊物質以外に排水中の重金属が問題とされており、その中でもクロム酸（ＣｒＯ３）、重クロム酸カリ（ Ｋ２Ｃｒ２Ｏ７）、重クロム酸ソーダ（ Ｎａ２Ｃｒ２Ｏ７）といった６価クロムが環境問題として挙げられている。この６価クロムは、毒性が強く、人体への影響としては、浮腫や潰瘍を生じさせる。６価クロムは、金属の洗浄や装置などの防食に用いられ、一般にはアルミニウムの皮膜処理、亜鉛の皮膜処理などのメッキ、ステンレス鋼などに用いられている。また、セメントおよびセメント系固化材などに含まれるため、トンネル工事などにおけるセメント分を含む排水中の６価クロムの問題も指摘されている。したがって、セメント排水などにおいては、上述した懸濁浮遊物質および６価クロムなどの重金属も同時に凝集させるなどして除去することができる凝集剤が必要とされていた。
【０００５】
また、上述した塩化アルミニウムや高分子凝集剤においては、排水中の懸濁浮遊物質の濃度によりその注入量が制御されている。しかしながら、排水中の懸濁浮遊物質の濃度は、常に一定ではないため、これら注入量を制御することは困難であった。また、濁度の変化に対応するために、濁度が最も多い量を設定しておくなどして対応しているが、濁度が低い場合には凝集剤が無駄になってしまうという問題もあった。さらに、上述の６価クロムといった重金属も同時に凝集させて除去することはできず、別に除去装置を設けるなどして除去しなければならず、コストおよび装置サイズが大きくなるといった問題があった。
【０００６】
【発明が解決しようとする課題】
本発明は、上述した問題に鑑み、排水中の濁度が変化しても凝集剤の添加量の調整が容易であり、６価クロムといった重金属も同時に凝集させて除去することが可能な濁水処理装置および該濁水処理装置を用いる濁水処理方法を提供することを目的とする。
【０００７】
【課題を解決するための手段】
すなわち、本発明の請求項１の発明によれば、排水管と連結され、排水を収容する容器と、
前記容器に収容した前記排水の濁度を音波を使用して測定する濁度測定手段と、
測定した前記濁度に応じて所定量の無機系粉末凝集剤を添加する添加装置と、
前記容器に収容した前記排水と前記無機系粉末凝集剤とを撹拌して混合する撹拌機と、
前記容器の底部に設置し、凝集物を送出するポンプとを備える、濁水処理装置が提供される。
【０００８】
本発明の請求項２の発明によれば、前記濁度測定手段は、検知棒であり、前記検知棒は、先端が２つに分岐されていて、一方から音波を発信し、他方にて前記音波を受信することを特徴とする濁水処理装置が提供される。
【０００９】
本発明の請求項３の発明によれば、前記添加装置は、前記無機系粉末凝集剤を充填し、密閉される充填容器と、空気圧縮機と、バイブレータと、周部に複数の穴が設けられた円盤と、前記円盤を回転させるための電動機とを備え、
前記濁度測定手段からの信号により前記無機系粉末凝集剤の添加量を制御することを特徴とする濁水処理装置が提供される。
【００１０】
本発明の請求項４の発明によれば、前記無機系粉末凝集剤は、二酸化珪素が３５〜７７質量％、酸化アルミニウムが５〜１５質量％、酸化カリウムが１〜５質量％、酸化ナトリウムが１〜５質量％、酸化鉄が１０〜２０質量％、三酸化硫黄が５〜１５質量％、酸化カルシウムが０．５〜２質量％、炭素が０．５〜３質量％である濁水処理装置が提供される。
【００１１】
本発明の請求項５の発明によれば、前記容器は、上側および下側を前記排水が移動可能とされるように仕切板が配設され、前記排水管と連結され、前記濁度測定手段を備える検出部と、前記添加装置と前記撹拌機と前記ポンプとを備える処理部とに分けられる濁水処理装置が提供される。
【００１２】
本発明の請求項６の発明によれば、排水を容器に供給する工程と、前記排水の濁度を音波を使用して測定する工程と、測定した前記濁度に応じて添加装置から所定量の無機系粉末凝集剤を添加し、前記排水と前記無機系粉末凝集剤とを撹拌機により撹拌して混合する工程と、前記容器底部の凝集物を送出する工程とを含む濁水処理方法が提供される。
【００１３】
本発明の請求項７の発明によれば、前記濁度は、検知棒の一方から音波を発信し、他方にて前記音波を受信することにより測定される濁水処理方法が提供される。
【００１４】
本発明の請求項８の発明によれば、前記添加装置においては、充填容器に圧縮空気が供給されるとともにバイブレータにより振動させながら円盤の周部に設けられた複数の穴に前記無機系粉末凝集剤が充填され、前記円盤が所定位置まで回転すると前記円盤の穴に充填された前記無機系粉末凝集が圧縮空気により前記容器に収容された排水中に添加される濁水処理方法が提供される。
【００１５】
本発明の請求項９の発明によれば、前記無機系粉末凝集剤は、二酸化珪素が３５〜７７質量％、酸化アルミニウムが５〜１５質量％、酸化カリウムが１〜５質量％、酸化ナトリウムが１〜５質量％、酸化鉄が１０〜２０質量％、三酸化硫黄が５〜１５質量％、酸化カルシウムが０．５〜２質量％、炭素が０．５〜３質量％である濁水処理方法が提供される。
【００１６】
本発明の請求項１０の発明によれば、前記容器は、上側および下側を前記排水が移動可能とされるように仕切板が配設され、排水管と連結され、濁度測定手段を備える検出部と、前記添加装置と前記撹拌機とポンプとを備える処理部とに分けられる濁水処理方法が提供される。
【００１７】
【発明の実施の形態】
本発明を図面をもって詳細に説明するが、以下に示す実施の形態に限定されるものではない。図１は、本発明の濁水処理装置を示した図である。図１に示す濁水処理装置１は、排水管２を流れる排水を収容するための容器３が設けられている。図１に示す容器３は、排水管２が容器３の側板を貫通し、容器３内部の上方に設けられた溝４の底部に配設されている。排水管２内を流れる排水は、溝４へ供給され、溝４をオーバーフローするようにして容器３内へ収容されるようになっている。また、図１に示す容器３には、上側および下側を排水が移動可能なように仕切るための仕切板５が設けられている。オーバーフローして収容される排水は、時間が経つにつれて濁水の原因となる浮遊物質が沈降していくため、上澄みは清水に近い性状であり、底部ではスラッジに近い性状を有している。したがって、仕切板５の上側からは、清水に近い水が仕切板５を越えて移動し、下側からは、スラッジを含む濁水が移動するようにされている。また、仕切板５は、以下に示す濁度測定手段による濁度測定において、撹拌手段などから発生する水流による影響を低減させるために用いられている。
【００１８】
図１に示す容器３は、排水の性状に応じた材質のものを用いることができる。また、容器３は、必要に応じていかなる大きさ、形状とすることもできる。さらに、図１に示すように溝４を設けなくても、容器３の側板を貫通させ、貫通させた排水管２を上方へ向けて曲げることにより、排水管２をオーバーフローさせて供給することもできる。本発明においては、容器３内への濁水の流入や撹拌により、以下に示す検知棒の周りに水流が発生するのを低減させるためにオーバーフローさせることが好ましい。また、仕切板５は、必要に応じて設けることができ、また、適切な位置に配設することができる。
【００１９】
図１に示す容器３には、排水管２を通して溝４をオーバーフローさせた排水が満たされている。図１に示す仕切板５で分けられた一方の検知部６には、濁度を測定する濁度測定手段として２つの検知棒７ａ、７ｂが配設されている。また、他方の処理部８には、撹拌機９と、底部にスラッジ送出用のポンプ１０と、処理部８に無機系粉末凝集剤を添加するための添加装置１１が処理部８の上部に設けられている。
【００２０】
図１に示す実施の形態では、濁度の変化に対応するために２つのレンジの検知棒７ａ、７ｂが設けられていて、検知棒７ａ、７ｂにより濁度は、ほぼ清水、中間、濁水の３つの範囲に分けられている。この３つの範囲により添加する無機系粉末凝集剤の量が３つのうちのいずれかに制御され、その量の凝集剤が添加されるようになっている。各範囲における添加量は、濁水処理装置１の運転前に排水を容器３へ収容し、上澄水の分析を行い、処理目標水準を達成する添加量を試験した上で設定することができる。図１に示す検知棒７ａ、７ｂは、その先端が２つに分岐されていて、一方から音波を発信し、他方においてその音波を受信することにより排水中の濁度を測定することができるようになっている。懸濁浮遊物質が多ければ、発信した音波が懸濁浮遊物質に反射するなどして他方において検知しにくいために発信した音波と受信した音波の差が大きくなり、反対に清水であれば、懸濁浮遊物質がほとんどないために発信した音波と受信した音波との差が小さくなる。予め上記３つの濁度範囲を設定しておくことで、受信した音波により濁度を測定することができる。本発明において音波は、超音波でも良く、音波の測定は、発信した音波と受信した音波の差により濁度を測定することができるのであれば、周波数などいかなるものの測定でも良い。また、受信した音波は、増幅することができるようにアンプなどの増幅装置を設けることもできる。
【００２１】
本発明に用いる無機系粉末凝集剤は、二酸化珪素を主とする無機系粉末凝集剤を用いることができる。本発明に用いる無機系粉末凝集剤としては、二酸化珪素が３５〜７７質量％、酸化アルミニウムが５〜１５質量％、酸化カリウムが１〜５質量％、酸化ナトリウムが１〜５質量％、酸化鉄が１０〜２０質量％、三酸化硫黄が５〜１５質量％、酸化カルシウムが０．５〜２質量％、炭素が０．５〜３質量％のものを用いることができる。この凝集剤は、排水のｐＨ調整やアルカリ剤などの事前溶解作業が不要であり、単に添加、撹拌するだけで容易にフロックを形成することができる。また、生成したフロックは、沈降性、脱水性が良く、スラッジの処理も容易である。添加量としては、排水中の浮遊物質の１／１００〜１／２０程度が好ましい。また、二酸化珪素を主成分とした石粉であり、有害なものは含まれていないため、添加量が多くなっても環境上の問題はない。
【００２２】
本発明に用いる無機系粉末凝集剤は、高ｐＨにおいても懸濁浮遊物質を凝集させることができる。また、中和することも可能であるため、添加前にｐＨを調整しておく必要もない。さらに、添加して撹拌し、懸濁浮遊物質を含む排水と混合させるだけで凝集させることができるため、処理工程が容易となる。また、生成するフロックが強固で、かつ脱水性が良く、スラッジの粘着性がないために水との分離性が良いといった特徴を有している。さらに、有害重金属である６価クロムも凝集させて除去することができる。
【００２３】
図１においては、添加装置１１から無機系粉末凝集剤が添加され、撹拌機９により排水と無機系粉末凝集剤とが混合される。排水中には、微細な懸濁浮遊物質が浮遊しており、その中でもコロイド粒子は、帯電していて互いに電気的反発しあっていつまでも沈殿しない。このような粒子が上述した無機系粉末凝集剤と接触することにより互いに凝集し合って大きな粒子となり、さらにこれらが集められ大きなフロックに成長する。このフロックが大きくなると沈降し、容器３の底部にスラッジとして堆積する。図１に示すポンプ１０は、容器３の底部に堆積したスラッジを図示しないフィルタプレスなどの脱水装置へ送出するために用いられる。また、容器３の上部の水は、容器３の上部にライン１２が設けられ、ライン１２を通してオーバーフローさせて排水することができる。この水は、一般に清水であり、水質検査するなどして河川などに放流される。本発明においては、オーバーフロー以外にも、調節弁などを用いて所定の液面となるように調節するようにしても良い。また、ポンプなどを使用して適切な量を排水するようにしても良い。さらに、調節弁およびポンプを両方用いることもできる。
【００２４】
図１に示す撹拌機９としては、容器３に収容した排水と無機系粉末凝集剤とを混合できるものであればいかなる種類、型式のものでも用いることができる。また、ポンプ１０としては、底部に堆積したスラッジを吸引し、図示しない脱水装置へ送出できるもので、かつ防水を施されたものであればいかなるものでも用いることができる。これらは、処理する排水量に応じて撹拌能力、吸引および吐出能力を決定することができる。
【００２５】
図２は、本発明の濁水処理装置に用いる添加装置の第１の実施の形態を示した図である。図２に示す添加装置１１は、無機系粉末凝集剤１３を充填する充填容器１４が設けられていて、充填容器１４の底部には、計量装置１５が設けられている。また、図２においては、充填容器１４および計量装置１５に連結される空気圧縮機１６が設けられている。さらに、図２に示す添加装置１１には、充填容器１４内に充填した無機系粉末凝集剤１３に挿入するようにバイブレータ１７が設けられている。
【００２６】
図２に示す添加装置１１では、空気圧縮機１６から圧縮された空気が途中分岐して充填容器１４および計量装置１５へ供給され、充填容器１４では、内部に充填された無機系粉末凝集剤１３が圧縮空気により押し込まれるようにして計量装置１５に充填されている。また、計量装置１５に無機系粉末凝集剤１３を充填する際、密に充填するため、バイブレータ１７により充填容器１４内に充填された無機系粉末凝集剤１３を振動させて空隙箇所を作らないようにされている。図２に示す添加装置１１では、空気圧縮機１６からの圧縮空気によって計量装置１５に充填された無機系粉末凝集剤１３を押し出すとともに、図１に示す容器３の処理部８に添加できるようになっている。
【００２７】
図２に示す充填容器１４は、底部に設けられた計量装置１５に適切に無機系粉末凝集剤１３を充填することができるのであれば、いかなる形状、大きさのものでも用いることができる。また、充填に際して圧縮空気が供給されるため、圧縮空気の圧力に耐えうる材質または厚さとすることができる。図２に示す空気圧縮機１６としては、充填容器１４および計量装置１５へ必要とされる圧力および風量の空気を供給できるものであれば、いかなる型式のものでも用いることができる。さらに、バイブレータ１７は、必要に応じて用いることができ、本発明においては用いなくても良い。
【００２８】
図３は、本発明の濁水処理装置に用いる添加装置の第２の実施の形態を示した図である。図３に示す添加装置１１は、図２に示す添加装置１１と同様に、無機系粉末凝集剤１３を充填する充填容器１４が設けられていて、充填容器１４の底部には、計量装置１５が設けられている。また、図３に示す添加装置１１は、充填容器１４および計量装置１５に連結される空気圧縮機１６が設けられている。さらに、図３に示す添加装置１１には、充填容器１４外部にバイブレータ１７が設けられている。図３に示すバイブレータ１７としては、型枠バイブレータが用いられていて、充填容器１４の外部に配設できるようになっている。図３に示すバイブレータ１７は、計量装置１５に無機系粉末凝集剤１３を充填する際、密に充填するため、バイブレータ１７により外部から振動を与えて充填容器１４内に充填された無機系粉末凝集剤１３を振動させて空隙箇所を作らないようにされている。本発明においては、充填容器１４外部のいずれの位置に配設されていても良い。
【００２９】
図４は、本発明の添加装置に用いる計量装置を示した図である。図４に示す計量装置１５は、図２に示す空気圧縮機１６から圧縮空気を供給するために図２に示す空気圧縮機１６に連通するライン１８と、周部に複数穴１９が設けられた円盤２０と、円盤２０に連結され、円盤２０を回転させることを可能とする電動機２１と、円盤２０の穴１９に充填された無機系粉末凝集剤１３を圧縮空気とともに図１に示す処理部８へ添加するためのライン２２とを備えている。
【００３０】
図４に示す円盤２０は、充填容器１４内の無機系粉末凝集剤１３が落下しないように支持するとともに、穴１９に無機系粉末凝集剤１３を充填することができるようにされている。また、円盤２０下部には、歯車を備えるギア２３が設けられていて、電動機２１に接続されたギア２４の歯車と円盤２０のギア２３の歯車とが噛み合うようにして回転することができるようになっている。図４に示すライン１８とライン２２とは、平面上の同一位置に配置され、円盤２０に設けられた穴１９が回転することによりライン１８とライン２２との間となる場合、ライン１８を通して供給された圧縮空気が穴１９に充填された無機系粉末凝集剤１３を押し出し、ライン２２を通して放出される。無機系粉末凝集剤１３は、圧縮空気によって押し出されることにより図１に示す容器３の処理部８内に添加できるようになっている。また、円盤２０には、ライン１８を通して供給された圧縮空気が通ることができる穴１９が１つとされていて、その他の穴１９の下部には、充填した無機系粉末凝集剤１３が落下しないように板などにより支持されている。
【００３１】
本発明においては、円盤２０には、いかなる数、大きさの穴１９が設けられていても良く、複数の穴１９は、円盤２０の中心から同じ距離とされる。また、穴１９の大きさに応じてライン１８およびライン２２の径を決定することができる。さらに、円盤２０を大きくすることにより、充填容器１４の高さを低くすることができる。また、電動機２１以外にも内燃機など円盤２０を回転させることができるものであればいかなるものでも用いることができる。
【００３２】
図５は、図４に示す計量装置１５を切断線Ａ−Ａに沿って切断した断面を示した図である。図５に示す充填容器１４は、円弧が切り取られた形状とされていて、切り取られた部分には、図２に示す空気圧縮機１６から供給される圧縮空気が流れるライン１８が設けられている。また、充填容器１４内には、無機系粉末凝集剤１３が充填されていて、無機系粉末凝集剤１３の中央には、バイブレータ１７が挿入されている。また、図５に示す充填容器１４の下部には、円盤２０が設けられていて、円盤２０に設けられた複数の穴１９に無機系粉末凝集剤１３が自重により充填されるようになっている。さらに、円盤２０は、図示しない電動機により回転し、ライン１８から供給される圧縮空気が各穴１９を通して供給されるように円盤２０の中心から等距離となる位置に複数の穴１９が設けられている。
【００３３】
図５に示す穴１９に充填された無機系粉末凝集剤１３は、円盤２０が回転することによってライン１８の下側に配置されると、ライン１８を通して供給される圧縮空気によって穴１９から押し出される。また、円盤２０は、回転して充填容器１４の下側に配置されると、再び穴１９に無機系粉末充填剤１３が充填される。本発明においては、円盤２０の回転する数を制御したり、図２に示す空気圧縮機１６からの圧縮空気を停止するなどして所定量の無機系粉末凝集剤１３を添加することができる。
【００３４】
以下、図６を用いて濁水処理方法について詳細に説明する。図６は、本発明の濁水処理装置１を用いて濁水処理を行っているところを示した図である。図６に示す排水は、排水管２を通して容器３の溝４へ供給される。排水管２を通して供給される排水は、セメント排水などいかなる排水であっても良い。また、排水は、溝４をオーバーフローさせることにより容器３の仕切板５で仕切られた検知部６へ供給される。図６においては、排水をオーバーフローさせることで排水中の比較的に大きな懸濁物質や浮遊物質などを容器３内へ供給できないようにすることができる。こうすることにより、容器３内に供給する浮遊物質を極力少なくすることができる。
【００３５】
図６に示す検知部６には、排水の濁度を測定するための検知棒７ａ、７ｂが２本設けられ、供給された排水の濁度を測定することができるようになっている。検知棒７ａ、７ｂでは、一方から音波が発信され、他方で発信された音波を受信することにより濁度を測定する。測定された濁度は、ほぼ清水、中間、濁水といった３つの範囲に分けられ、それに応じて無機系粉末凝集剤１３の添加量が決定される。これらの無機系粉末凝集剤１３の量は、予め試験を行うことで添加量を設定することができる。本発明においては、３つの範囲でなくてもさらに多くの範囲として詳細に制御できるようにしていても良いが、制御が複雑となるために３つの範囲とすることが好ましい。また、本発明に用いる無機系粉末凝集剤１３は、添加量が多すぎたとしても、凝集能力が低下したり、スラッジとして残った場合における環境上の問題もないため、細かく範囲を分ける必要がなく、上述した３つの範囲といったように少ない範囲とすることができる。
【００３６】
図６に示す仕切板５により検知部６と処理部８とに分離され、仕切板５の上側および下側が処理部８と繋がっており、検知部６の排水の上部の清水、下部のスラッジ２５が移動可能とされている。また、処理部８の排水内には、撹拌機９およびポンプ１０が設置され、上述したように決定された無機系粉末凝集剤１３を添加する添加装置１１が処理部８の上部に設置されている。上述したように決定された無機系粉末凝集剤１３の添加量となるように計量装置１５の円盤２０が回転され、ライン１８を通して圧縮空気が供給されることにより無機系粉末凝集剤１３が添加される。本発明においては、濁水を流入する際に無機系粉末凝集剤１３が添加され、濁水の流入が停止する際に無機系粉末凝集剤１３の添加が停止される。また、本発明においては、ライン１８または２２に弁などを設け、検知棒７ａ、７ｂで測定した濁度に応じて添加量を弁などにより制御するようにしても良い。
【００３７】
また、添加した無機系粉末凝集剤１２が充填されていた穴１９には、円盤２０の回転により再び充填容器１４から無機系粉末凝集剤１３が充填されるようになっている。本発明においては、充填容器１４が密閉された容器であるため、図示しない空気圧縮機からの圧縮空気を充填容器１４内部に供給し、この圧縮空気で内部に充填された無機系粉末凝集剤１３を押すことによって穴１９に充填することができるようになっている。また、無機系粉末凝集剤１３にバイブレータ１７を挿入し、充填容器１４内に充填された無機系粉末凝集剤１３に振動を与えることにより、凝集剤同士の空隙を低減させ、充填された無機系粉末凝集剤１３を密にすることができるようになっている。
【００３８】
図６に示す添加装置１１から添加された無機系粉末凝集剤１３と排水とが撹拌機９により混合されることによって排水中の懸濁浮遊物質２６と無機系粉末凝集剤１３とが凝集し、大きなフロック２７を生成して沈降する。容器３の底部においては、フロック２７が集まってスラッジ２５が形成される。また、懸濁浮遊物質２６とともに６価クロムといった有害重金属が含まれている場合においても同様に凝集させることができる。形成されたスラッジ２５は、ポンプ１０によって吸い込まれるとともに、図示しない脱水装置へ供給される。図示しない脱水装置において脱水後の脱水ケーキは、管理型の処分場へ廃棄することができる。また、脱水された水は、有害物質や不純物をほとんど含まない水であるため、河川などに放流することができる。さらに、容器３の上部の水は、ライン１１を通して排水され、水質検査を行うなどした後、河川などに放流することができる。また、必要に応じて本発明の濁水処理装置１へリサイクルして再処理することもできるし、その他処理設備へ供給することもできる。さらに、河川への放流に限らず、水質に応じていかなるものにでも使用することができる。
【００３９】
【発明の効果】
上述したように、本発明の濁水処理装置および濁水処理方法は、無機系粉末凝集剤の添加量を容易に決定することができるとともに、ｐＨなどの初期調整や他の凝集剤の添加を行うことなく、いずれの濁度の排水に対しても充分な処理を行うことが可能である。
【００４０】
また、排水中の懸濁浮遊物質とともに、６価クロムといった有害重金属の除去も可能である。さらに、生成したフロックが強固で脱水性が良いため、脱水処理を行う場合において脱水時間を大幅に短縮することが可能である。
【図面の簡単な説明】
【図１】  本発明の濁水処理装置を示した図。
【図２】  本発明の濁水処理装置に用いる添加装置の第１の実施の形態を示した図。
【図３】  本発明の濁水処理装置に用いる添加装置の第２の実施の形態を示した図。
【図４】  本発明の濁水処理装置に用いる添加装置の計量装置を示した図。
【図５】  図４に示す計量装置を切断線Ａ−Ａに沿って切断した断面を示した図。
【図６】  本発明の濁水処理装置を用いて排水を処理しているところを示した図。
【符号の説明】
１…濁水処理装置
２…排水管
３…容器
４…溝
５…仕切板
６…検知部
７ａ、７ｂ…検知棒
８…処理部
９…撹拌機
１０…ポンプ
１１…添加装置
１２…ライン
１３…無機系粉末凝集剤
１４…充填容器
１５…計量装置
１６…空気圧縮機
１７…バイブレータ
１８…ライン
１９…穴
２０…円盤
２１…電動機
２２…ライン
２３、２４…ギア
２５…スラッジ
２６…懸濁浮遊物質
２７…フロック
【図１】
0004822611.tif 000002
【図２】
0004822611.tif 000003
【図３】
0004822611.tif 000004
【図４】
0004822611.tif 000005
【図５】
0004822611.tif 000006
【図６】
0004822611.tif 000007